(57)【要約】【課題】地震等の外力が建築物に作用しても、張出部における鉛直方向の振動を低減することができる制震装置を提供する。【解決手段】この発明にかかる制震装置は、地盤に立設し、且つ上下方向に延在する鉛直面を間に構成する一対の本柱１５，４５を有する本体部１００と、鉛直面から突出し、かつ地盤から離隔する態様で本体部１００に配設した張出部２００ｂとを備えるビルに適用するものである。また、制震装置は、張出部２００ｂを構成する間柱４１２の下端部と、その間柱４１２に対応する本柱２５との間にダンパー７０１を介在させてある。【選択図】        図６
2008063817.tif 000002
【特許請求の範囲】
【請求項１】
地盤に立設し、且つ上下方向に延在する鉛直面を間に構成する一対の本柱を有する本体部と、前記鉛直面から突出し、かつ前記地盤から離隔する態様で前記本体部に配設した張出部とを備える建築物に適用する制震装置において、
前記張出部を構成する間柱の下端部と、前記本柱との間にダンパーを介在させることを特徴とする制震装置。
【請求項２】
請求項１に記載の制震装置を備えることを特徴とする建築物。
【請求項３】
前記張出部を構成する小梁と、前記間柱とを連結するブレースを配設することを特徴とする請求項２に記載の建築物。
【請求項４】
前記張出部の両側に位置する側間柱と、それらの側間柱に対応する前記本柱との間に剛体を配設し、
前記側間柱の間に配置した間柱の下端部と、前記間柱に対応する前記本柱との間に前記ダンパーを介在させることを特徴とする請求項３に記載の建築物。
【発明の詳細な説明】
【技術分野】
【０００１】
本発明は、ビル等の建築物、およびその建築物に適用する制震装置に関するものである。
【背景技術】
【０００２】
従来、ビル等の建築物に適用する免震装置としては、例えばゴムによって形成した弾性板と鋼板とをそれぞれ複数枚ずつ備え、それら弾性板と鋼板とを上下方向に交互に積層して構築したものがある。この免震装置は、例えば建築物の下端部と、地盤の表面との間に配置する。
【０００３】
この免震装置によれば、例えば地震等の外力が建築物に作用した場合、免震装置によって建築物が水平方向に振動するのを低減することができる（例えば、特許文献１参照）。
【０００４】
【特許文献１】特開平６−２４８７１２号公報
【発明の開示】
【発明が解決しようとする課題】
【０００５】
ところで、建築物の中には、例えば図８に示すように、本体部９２と張出部９３とを備えるものがある。本体部９２は、地盤に立設した一対の本柱９１ａ，９１ｂを少なくとも有している。上記一対の本柱９１ａ，９１ｂは、それらの間に、上下方向に延在する鉛直面を構成している。張出部９３は、一対の本柱９１ａ，９１ｂによる鉛直面から突出し、且つ地盤から離隔する態様で本体部９２に配設してある。
【０００６】
ここで、この建築物に上記免震装置を適用したとしても、地震等の外力が建築物に作用した場合、上記免震装置は鉛直方向の振動の低減を考慮するものではないため、建築物は鉛直方向に振動することとなる。建築物が鉛直方向に振動すると、張出部は地盤から離隔しているため、片持ち梁のように鉛直方向に沿って振動することとなる。この張出部９３の振動は、鉛直面から離隔するほど大きくなる。
【０００７】
本発明は、上記に鑑みてなされたものであって、地震等の外力が建築物に作用しても、張出部における鉛直方向の振動を低減することができる制震装置を提供することにある。
【課題を解決するための手段】
【０００８】
上述した課題を解決し、目的を達成するために、請求項１にかかる発明は、地盤に立設し、且つ上下方向に延在する鉛直面を間に構成する一対の本柱を有する本体部と、前記鉛直面から突出し、かつ前記地盤から離隔する態様で前記本体部に配設した張出部とを備える建築物に適用する制震装置において、前記張出部を構成する間柱の下端部と、前記本柱との間にダンパーを介在させることを特徴とする。
【０００９】
また、本発明の請求項２にかかる建築物は、上記請求項１に記載の制震装置を備えることを特徴とする。
【００１０】
また、本発明の請求項３にかかる建築物は、上記請求項２において、前記張出部を構成する小梁と、前記間柱とを連結するブレースを配設することを特徴とする。
【００１１】
また、本発明の請求項４にかかる建築物は、上記請求項３において、前記張出部の両側に位置する側間柱と、それらの側間柱に対応する前記本柱との間に剛体を配設し、前記側間柱の間に配置した間柱の下端部と、前記間柱に対応する前記本柱との間に前記ダンパーを介在させることを特徴とする。
【発明の効果】
【００１２】
この発明によれば、張出部を構成する間柱の下端部と、本柱との間にダンパーを介在させるため、地震等の外力が建築物に作用すると、ダンパーによって張出部の鉛直方向の振動を低減することができる。
【発明を実施するための最良の形態】
【００１３】
以下に、本発明にかかる制震装置の実施の形態を図面に基づいて詳細に説明する。図１は、この発明にかかる制震装置を適用したビル（建築物）の躯体を示す斜視図である。
【００１４】
図１に示すように、地盤の表面において、ビルを建造する部位には基礎１を構築してある。また、ビルは、本体部１００と、張出部２００ａ，２００ｂとを備えている。
【００１５】
このビルは、鉛直方向に延在し、且つ上記本体部１００を構成するものであるとともに、後述する梁を支持するものであって、上記基礎１を介して地盤に立設した本柱を複数本（この実施の形態では２０本）備えている。より具体的には、図２中、左右方向に等間隔となる態様で、第１１本柱１１、第１２本柱１２、第１３本柱１３、第１４本柱１４、および第１５本柱１５を、基礎１を介して地盤にそれぞれ立設してある。
【００１６】
また、図２中、左右方向に等間隔となる態様で、図１に示すように、第２１本柱２１、第２２本柱２２、第２３本柱２３、第２４本柱２４、および第２５本柱２５を、基礎１を介して地盤にそれぞれ立設してある。なお、第２１本柱２１に対する第１１本柱１１の図２における奥行き方向の間隔、第２２本柱２２に対する第１２本柱１２の図２における奥行き方向の間隔、第２３本柱２３に対する第１３本柱１３の図２における奥行き方向の間隔、第２４本柱２４に対する第１４本柱１４の図２における奥行き方向の間隔、および第２５本柱２５に対する第１５本柱１５の図２における奥行き方向の間隔は、相互に同一である。
【００１７】
さらに、図２中、左右方向に等間隔となる態様で、図１に示すように、第３１本柱３１、第３２本柱３２、第３３本柱３３、第３４本柱３４、および第３５本柱３５を、基礎１を介して地盤にそれぞれ立設してある。なお、第３１本柱３１に対する第２１本柱２１の図２における奥行き方向の間隔、第３２本柱３２に対する第２２本柱２２の図２における奥行き方向の間隔、第３３本柱３３に対する第２３本柱２３の図２における奥行き方向の間隔、第３４本柱３４に対する第２４本柱２４の図２における奥行き方向の間隔、および第３５本柱３５に対する第２５本柱２５の図２における奥行き方向の間隔は、相互に同一である。
【００１８】
また、図２中、左右方向に等間隔となる態様で、図１に示すように第４１本柱４１、第４２本柱４２、第４３本柱４３、第４４本柱４４、および第４５本柱４５を、基礎１を介して地盤の上にそれぞれ立設してある。なお、第４１本柱４１に対する第３１本柱３１の図２における奥行き方向の間隔、第４２本柱４２に対する第３２本柱３２の図２における奥行き方向の間隔、第４３本柱４３に対する第３３本柱３３の図２における奥行き方向の間隔、第４４本柱４４に対する第３４本柱３４の図２における奥行き方向の間隔、および第４５本柱４５に対する第３５本柱３５の図２における奥行き方向の間隔は、相互に同一である。
【００１９】
これらの本柱の下端部には、鋼を材料としたプレートとコンクリートとによって形成したコンクリート体８０をそれぞれ配設してある。例えば、図５に示すように、第１５本柱１５の下端部にはコンクリート体８０を配設してあり、図６に示すように、第２５本柱２５の下端部にはコンクリート体８０を配設してある。
【００２０】
また、コンクリート体８０と上記基礎１との間には、免震装置２を配設してある。免震装置２は、例えば図５に示すように、ゴムによって形成した弾性板２ａと鋼板２ｂとをそれぞれ複数枚ずつ備え、それら弾性板２ａと鋼板２ｂとを上下方向に交互に積層して構築してある。なお、免震装置２の下端部には、基礎１に取り付ける第１フランジ２ｃを配設してあり、且つ免震装置２の上端部には、各本柱のコンクリート体８０に取り付ける第２フランジ２ｄを配設してある。
【００２１】
また、上記一対の本柱１１，４１の間には、上下方向に延在する第１鉛直面が構成されており、且つ上記一対の本柱１５，４５の間には、上下方向に延在する第２鉛直面が構成されている。上記一方の張出部２００ａは、第１鉛直面から突出し、且つ地盤から離隔する態様で本体部１００に配設してある。また、他方の張出部２００ｂは、第２鉛直面から突出し、且つ地盤から離隔する態様で本体部１００に配設してある。
【００２２】
また、このビルは、水平方向に延在し、複数本（この実施の形態では４本）の上記本柱に掛け渡す梁を複数本（この実施の形態では２５本）備えている。より具体的には、第１１本柱１１、第２１本柱２１、第３１本柱３１、および第４１本柱４１に掛け渡す第１１１梁１１１、第１１２梁１１２、第１１３梁１１３、第１１４梁１１４、および第１１５梁１１５を上下方向に備えている。
【００２３】
さらに、第１２本柱１２、第２２本柱２２、第３２本柱３２、および第４２本柱４２に掛け渡す第１２１梁１２１、第１２２梁１２２、第１２３梁１２３、第１２４梁１２４、および第１２５梁１２５を上下方向に備えている。
【００２４】
また、第１３本柱１３、第２３本柱２３、第３３本柱３３、および第４３本柱４３に掛け渡す第１３１梁１３１、第１３２梁１３２、第１３３梁１３３、第１３４梁１３４、および第１３５梁１３５を上下方向に備えている。
【００２５】
さらに、第１４本柱１４、第２４本柱２４、第３４本柱３４、および第４４本柱４４に掛け渡す第１４１梁１４１、第１４２梁１４２、第１４３梁１４３、第１４４梁１４４、および第１４５梁１４５を上下方向に備えている。
【００２６】
また、第１５本柱１５、第２５本柱２５、第３５本柱３５、および第４５本柱４５に掛け渡す第１５１梁１５１、第１５２梁１５２、第１５３梁１５３、第１５４梁１５４、および第１５５梁１５５を上下方向に備えている。
【００２７】
これらの梁１１１，１１２，１１３，１１４，１１５，１２１，１２２，１２３，１２４，１２５，１３１，１３２，１３３，１３４，１３５，１４１，１４２，１４３，１４４，１４５，１５１，１５２，１５３，１５４，１５５は、上記本体部１００を構成するものである。
【００２８】
加えて、このビルは、図１および図２に示すように、水平方向に延在し、複数本（この実施の形態では５本）の上記本柱に掛け渡す梁を複数本（この実施の形態では２４本）備えている。より具体的には、第１１本柱１１、第１２本柱１２、第１３本柱１３、第１４本柱１４、および第１５本柱１５に掛け渡す第２１１梁２１１、第２１２梁２１２、第２１３梁２１３、第２１４梁２１４、第２１５梁２１５、および第２１６梁２１６を上下方向に備えている。なお、第２１３梁２１３、第２１４梁２１４、第２１５梁２１５、および第２１６梁２１６は、第１１本柱１１と第１５本柱１５との水平方向の間隔よりも長く、且つ相互に同一の長さに設定してあり、一方の端部が第１１本柱１１の左方に張り出し、且つ他方の端部が第１５本柱１５の右方に張り出す。第１１本柱１１に対する第２１３梁２１３、第２１４梁２１４、第２１５梁２１５、および第２１６梁２１６の張り出し長さは相互に同一であり、且つ第１５本柱１５に対する第２１３梁２１３、第２１４梁２１４、第２１５梁２１５、および第２１６梁２１６の張り出し長さは相互に同一である。
【００２９】
また、図１に示すように、第２１本柱２１、第２２本柱２２、第２３本柱２３、第２４本柱２４、および第２５本柱２５に掛け渡す第２２１梁２２１、第２２２梁２２２、第２２３梁２２３、第２２４梁２２４、第２２５梁２２５、および第２２６梁２２６を上下方向に備えている。なお、第２２３梁２２３、第２２４梁２２４、第２２５梁２２５、および第２２６梁２２６は、第２１本柱２１と第２５本柱２５との水平方向の間隔よりも長く、且つ同一の長さに設定してあり、一方の端部が第２１本柱２１の左方に張り出し、且つ他方の端部が第２５本柱２５の右方に張り出す。これら第２２３梁２２３、第２２４梁２２４、第２２５梁２２５、および第２２６梁２２６の水平方向の長さは、上記第２１３梁２１３、第２１４梁２１４、第２１５梁２１５、および第２１６梁２１６の水平方向の長さと同一である。また、第２１本柱２１に対する第２２３梁２２３、第２２４梁２２４、第２２５梁２２５、および第２２６梁２２６の張り出し長さは相互に同一であり、且つ第２５本柱２５に対する第２２３梁２２３、第２２４梁２２４、第２２５梁２２５、および第２２６梁２２６の張り出し長さは相互に同一である。
【００３０】
さらに、第３１本柱３１、第３２本柱３２、第３３本柱３３、第３４本柱３４、および第３５本柱３５に掛け渡す第２３１梁２３１、第２３２梁２３２、第２３３梁２３３、第２３４梁２３４、第２３５梁２３５、および第２３６梁２３６を上下方向に備えている。なお、第２３３梁２３３、第２３４梁２３４、第２３５梁２３５、および第２３６梁２３６は、第３１本柱３１と第３５本柱３５との水平方向の間隔よりも長く設定してあり、一方の端部が第３１本柱３１の左方に張り出し、且つ他方の端部が第３５本柱３５の右方に張り出す。これら第２３３梁２３３、第２３４梁２３４、第２３５梁２３５、および第２３６梁２３６の水平方向の長さは、上記第２２３梁２２３、第２２４梁２２４、第２２５梁２２５、および第２２６梁２２６の水平方向の長さと同一である。また、第３１本柱３１に対する第２３３梁２３３、第２３４梁２３４、第２３５梁２３５、および第２３６梁２３６の張り出し長さは相互に同一であり、且つ第３５本柱３５に対する第２３３梁２３３、第２３４梁２３４、第２３５梁２３５、および第２３６梁２３６の張り出し長さは相互に同一である。
【００３１】
また、第４１本柱４１、第４２本柱４２、第４３本柱４３、第４４本柱４４、および第４５本柱４５に掛け渡す第２４１梁２４１、第２４２梁２４２、第２４３梁２４３、第２４４梁２４４、第２４５梁２４５、および第２４６梁２４６を上下方向に備えている。なお、第２４３梁２４３、第２４４梁２４４、第２４５梁２４５、および第２４６梁２４６は、第４１本柱４１と第４５本柱４５との水平方向の間隔よりも長く設定してあり、一方の端部が第４１本柱４１の左方に張り出し、且つ他方の端部が第４５本柱４５の右方に張り出す。これら第２４３梁２４３、第２４４梁２４４、第２４５梁２４５、および第２４６梁２４６の水平方向の長さは、上記第２３３梁２３３、第２３４梁２３４、第２３５梁２３５、および第２３６梁２３６の水平方向の長さと同一である。また、第４１本柱４１に対する第２４３梁２４３、第２４４梁２４４、第２４５梁２４５、および第２４６梁２４６の張り出し長さは相互に同一であり、且つ第４５本柱４５に対する第２４３梁２４３、第２４４梁２４４、第２４５梁２４５、および第２４６梁２４６の張り出し長さは相互に同一である。
【００３２】
このビルは、上記梁１１１，１２１，１３１，１４１，１５１，２１１，２２１，２３１，２４１によって１階のフロアを構築してある。また、上記梁１１２，１２２，１３２，１４２，１５２，２１２，２２２，２３２，２４２によって２階のフロアを構築してある。
【００３３】
上記梁２１３，２１４，２１５，２１６，２２３，２２４，２２５，２２６，２３３，２３４，２３５，２３６，２４３，２４４，２４５，２４６の一方の端部は、一方の張出部２００ａを構成するものである。また、上記梁２１３，２１４，２１５，２１６，２２３，２２４，２２５，２２６，２３３，２３４，２３５，２３６，２４３，２４４，２４５，２４６の他方の端部は、他方の張出部２００ｂを構成するものである。
【００３４】
上記梁２１１，２１２，２２１，２２２，２３１，２３２，２４１，２４２、ならびに上記梁２１３，２１４，２１５，２１６，２２３，２２４，２２５，２２６，２３３，２３４，２３５，２３６，２４３，２４４，２４５，２４６の一方の端部および他方の端部を除いた個所は、上記本体部１００を構成するものである。
【００３５】
加えて、このビルは、図１および図３に示すように、第２１３梁２１３の一方の端部、第２２３梁２２３の一方の端部、第２３３梁２３３の一方の端部、および第２４３梁２４３の一方の端部を連結し、一方の張出部２００ａを構成する第３３１小梁３３１を備えている。さらに、このビルは、図１および図４に示すように、第２１３梁２１３の他方の端部、第２２３梁２２３の他方の端部、第２３３梁２３３の他方の端部、および第２４３梁２４３の他方の端部を連結し、他方の張出部２００ｂを構成する第３３２小梁３３２を備えている。
【００３６】
また、このビルは、図１および図３に示すように、第２１４梁２１４の一方の端部、第２２４梁２２４の一方の端部、第２３４梁２３４の一方の端部、および第２４４梁２４４の一方の端部を連結し、一方の張出部２００ａを構成する第３４１小梁３４１を備えている。さらに、このビルは、図１および図４に示すように、第２１４梁２１４の他方の端部、第２２４梁２２４の他方の端部、第２３４梁２３４の他方の端部、および第２４４梁２４４の他方の端部を連結し、他方の張出部２００ｂを構成する第３４２小梁３４２を備えている。
【００３７】
またさらに、このビルは、図１および図３に示すように、第２１５梁２１５の一方の端部、第２２５梁２２５の一方の端部、第２３５梁２３５の一方の端部、および第２４５梁２４５の一方の端部を連結し、一方の張出部２００ａを構成する第３５１小梁３５１を備えている。さらに、このビルは、図１および図４に示すように、第２１５梁２１５の他方の端部、第２２５梁２２５の他方の端部、第２３５梁２３５の他方の端部、および第２４５梁２４５の他方の端部を連結し、他方の張出部２００ｂを構成する第３５２小梁３５２を備えている。
【００３８】
また、このビルは、図１および図３に示すように、第２１６梁２１６の一方の端部、第２２６梁２２６の一方の端部、第２３６梁２３６の一方の端部、および第２４６梁２４６の一方の端部を連結し、一方の張出部２００ａを構成する第３６１小梁３６１を備えている。さらに、このビルは、図１および図４に示すように、第２１６梁２１６の他方の端部、第２２６梁２２６の他方の端部、第２３６梁２３６の他方の端部、および第２４６梁２４６の他方の端部を連結し、他方の張出部２００ｂを構成する第３６２小梁３６２を備えている。
【００３９】
このビルは、上記梁１１３，１２３，１３３，１４３，１５３，２１３，２２３，２３３，２４３および小梁３３１，３３２によって３階のフロアを構築してある。また、上記梁１１４，１２４，１３４，１４４，１５４，２１４，２２４，２３４，２４４および小梁３４１，３４２によって４階のフロアを構築してある。さらに、上記梁１１５，１２５，１３５，１４５，１５５，２１５，２２５，２３５，２４５および小梁３５１，３５２によって５階のフロアを構築してある。また、上記梁２１６，２２６，２３６，２４６および小梁３６１，３６２によって屋根を構築してある。
【００４０】
加えて、このビルは、図１および図３に示すように、第２１３梁２１３の一方の端部、第２１４梁２１４の一方の端部、第２１５梁２１５の一方の端部、および第２１６梁２１６の一方の端部を連結し、一方の張出部２００ａを構成する第４０１側間柱４０１を備えている。さらに、このビルは、図１および図４に示すように、第２１３梁２１３の他方の端部、第２１４梁２１４の他方の端部、第２１５梁２１５の他方の端部、および第２１６梁２１６の他方の端部を連結し、他方の張出部２００ｂを構成する第４０２側間柱４０２を備えている。
【００４１】
また、このビルは、図１および図３に示すように、第２２３梁２２３の一方の端部、第２２４梁２２４の一方の端部、第２２５梁２２５の一方の端部、および第２２６梁２２６の一方の端部を連結し、一方の張出部２００ａを構成する第４１１間柱４１１を備えている。さらに、このビルは、図１および図４に示すように、第２２３梁２２３の他方の端部、第２２４梁２２４の他方の端部、第２２５梁２２５の他方の端部、および第２２６梁２２６の他方の端部を連結し、他方の張出部２００ｂを構成する第４１２間柱４１２を備えている。
【００４２】
またさらに、このビルは、図１および図３に示すように、第２３３梁２３３の一方の端部、第２３４梁２３４の一方の端部、第２３５梁２３５の一方の端部、および第２３６梁２３６の一方の端部を連結し、一方の張出部２００ａを構成する第４２１間柱４２１を備えている。さらに、このビルは、図１および図４に示すように、第２３３梁２３３の他方の端部、第２３４梁２３４の他方の端部、第２３５梁２３５の他方の端部、および第２３６梁２３６の他方の端部を連結し、他方の張出部２００ｂを構成する第４２２間柱４２２を備えている。
【００４３】
また、このビルは、図１および図３に示すように、第２４３梁２４３の一方の端部、第２４４梁２４４の一方の端部、第２４５梁２４５の一方の端部、および第２４６梁２４６の一方の端部を連結し、一方の張出部２００ａを構成する第４３１側間柱４３１を備えている。さらに、このビルは、図１および図４に示すように、第２４３梁２４３の他方の端部、第２４４梁２４４の他方の端部、第２４５梁２４５の他方の端部、および第２４６梁２４６の他方の端部を連結し、他方の張出部２００ｂを構成する第４３２側間柱４３２を備えている。
【００４４】
上記側間柱４０１，４３１は、一方の張出部２００ａの両側に位置するものである。また、一方の張出部２００ａにおいて、間柱４１１，４１２は、側間柱４０１と側間柱４３１の間に配置したものである。
【００４５】
上記側間柱４０２，４３２は、他方の張出部２００ｂの両側に位置するものである。また、他方の張出部２００ｂにおいて、間柱４１２，４２２は、側間柱４０２と側間柱４３２の間に配置したものである。
【００４６】
加えて、このビルは、図３に示すように、側間柱４０１と小梁３４１とを連結するブレース５０１を備えており、間柱４１１と小梁３４１とを連結するブレース５０２を２本備えており、間柱４２１と小梁３４１とを連結するブレース５０３を２本備えており、側間柱４３１と小梁３４１とを連結するブレース５０４を備えている。
【００４７】
また、このビルは、側間柱４０１と小梁３５１とを連結するブレース５１１を備えており、間柱４１１と小梁３５１とを連結するブレース５１２を２本備えており、間柱４２１と小梁３５１とを連結するブレース５１３を２本備えており、側間柱４３１と小梁３５１とを連結するブレース５１４を備えている。
【００４８】
さらに、このビルは、側間柱４０１と小梁３６１とを連結するブレース５２１を備えており、間柱４１１と小梁３６１とを連結するブレース５２２を２本備えており、間柱４２１と小梁３６１とを連結するブレース５２３を２本備えており、側間柱４３１と小梁３６１とを連結するブレース５２４を備えている。
【００４９】
また、このビルは、図４に示すように、側間柱４０２と小梁３４２とを連結するブレース５５１を備えており、間柱４１２と小梁３４２とを連結するブレース５５２を２本備えており、間柱４２２と小梁３４２とを連結するブレース５５３を２本備えており、側間柱４３２と小梁３４２とを連結するブレース５５４を備えている。
【００５０】
また、このビルは、側間柱４０２と小梁３５２とを連結するブレース５６１を備えており、間柱４１２と小梁３５２とを連結するブレース５６２を２本備えており、間柱４２２と小梁３５２とを連結するブレース５６３を２本備えており、側間柱４３２と小梁３５２とを連結するブレース５６４を備えている。
【００５１】
さらに、このビルは、側間柱４０２と小梁３６２とを連結するブレース５７１を備えており、間柱４１２と小梁３６２とを連結するブレース５７２を２本備えており、間柱４２２と小梁３６２とを連結するブレース５７３を２本備えており、側間柱４３２と小梁３６２とを連結するブレース５７４を備えている。
【００５２】
このビルによれば、一方の張出部２００ａの内部に、ブレース５０１，５０２，５０３，５０４，５１１，５１２，５１３，５１４，５２１，５２２，５２３，５２４を配設してあり、他方の張出部２００ｂの内部に、ブレース５５１，５５２，５５３，５５４，５６１，５６２，５６３，５６４，５７１，５７２，５７３，５７４を配設してあるため、これらのブレースで地震による水平力に抗することができる。よって、このビルは、本体部１００を構成する本柱、梁等の構成材を可及的に細くすることができるため、本体部１００の内部空間を広くでき、その内部空間を有効に活用することが可能となる。
【００５３】
また、このビルは、図４および図５に示すように、側間柱４０２と、その側間柱４０２に対応する本柱１５との間に、小梁３３２を介して剛体６０１を配設してある。さらに、図４に示すように、側間柱４３２と、その側間柱４３２に対応する本柱４５との間に、小梁３３２を介して剛体６０２を配設してある。これらの剛体６０１，６０２は、鋼を材料として形成してある。従って、地震時の水平力は上記ブレースで処理され、剛体６０１，６０２を介して基礎１に伝達される。
【００５４】
またさらに、図４および図６に示すように、間柱４１２の下端部と、その間柱４１２に対応する本柱２５との間には、小梁３３２を介してダンパー７０１を配設してある。さらに、図４に示すように、間柱４２２の下端部と、その間柱４２２に対応する本柱３５との間には小梁３３２を介してダンパー７０２を配設してある。これらのダンパー７０１，７０２は、例えば粘弾性ダンパーであり、制震装置６０ｂを構成するものであって、地震等の外力がビルに作用し、張出部２００ｂが鉛直方向に沿って振動した場合には、その振動を減衰するものである。
【００５５】
上記剛体６０１，６０２に一定の力を加えて圧縮したときの縮み量と、上記ダンパー７０１，７０２に同一の力を加えて圧縮したときの縮み量とを比較した場合、ダンパー７０１，７０２の縮み量に比して剛体６０１，６０２の縮み量が小さくなるよう剛体６０１，６０２およびダンパー７０１，７０２を設定してある。また、上記剛体６０１，６０２に一定の力を加えて引っ張ったときの伸び量と、上記ダンパー７０１，７０２に同一の力加えて引っ張ったときの伸び量とを比較した場合、ダンパー７０１，７０２の伸び量に比して剛体６０１，６０２の伸び量が小さくなるよう剛体６０１，６０２およびダンパー７０１，７０２を設定してある。従って、地震等の外力がビルに作用し、張出部２００ｂが鉛直方向に沿って振動した場合には、剛体６０１，６０２が鉛直方向に加わる力に抗する。
【００５６】
また、このビルは、図３に示すように、側間柱４０１と、その側間柱４０１に対応する本柱１１との間に、小梁３３１を介して剛体６０３を配設してある。さらに、側間柱４３１と、その側間柱４３１に対応する本柱４１との間に小梁３３１を介して剛体６０４を配設してある。これらの剛体６０３，６０４は、鋼を材料として形成してある。従って、地震時の水平力は上記ブレースで処理され、剛体６０１，６０２を介して基礎１に伝達される。
【００５７】
またさらに、間柱４１１の下端部と、その間柱４１１に対応する本柱２１との間には、小梁３３１を介してダンパー７０３を配設してある。さらに、間柱４２１の下端部と、その間柱４２１に対応する本柱３１との間には、小梁３３１を介してダンパー７０４を配設してある。これらのダンパー７０３，７０４は、例えば粘弾性ダンパーであり、制震装置６０ａを構成するものであって、地震等の外力がビルに作用し、張出部２００ａが鉛直方向に沿って振動した場合には、その振動を減衰するものである。
【００５８】
上記剛体６０３，６０４に一定の力を加えて圧縮したときの縮み量と、上記ダンパー７０３，７０４に同一の力を加えて圧縮したときの縮み量とを比較した場合、ダンパー７０３，７０４の縮み量に比して剛体６０３，６０４の縮み量が小さくなるよう剛体６０３，６０４およびダンパー７０３，７０４を設定してある。また、上記剛体６０３，６０４に一定の力を加えて引っ張ったときの伸び量と、上記ダンパー７０３，７０４に同一の力を加えて引っ張ったときの伸び量とを比較した場合、ダンパー７０３，７０４の伸び量に比して剛体６０３，６０４の伸び量が小さくなるよう剛体６０３，６０４およびダンパー７０３，７０４を設定してある。従って、地震等の外力がビルに作用し、張出部２００ａが鉛直方向に沿って振動した場合には、剛体６０３，６０４が鉛直方向に加わる力に抗する。
【００５９】
この発明にかかる制震装置６０ａ，６０ｂによれば、上記ダンパー７０１，７０２，７０３，７０４を備えるため、地震等の外力がビルに作用した場合、ダンパー７０１，７０２，７０３，７０４によって張出部２００ａ，２００ｂの鉛直方向の振動を低減することができる。例えば上記制震装置６０ａ，６０ｂを適用したビルと、上記制震装置６０ａ，６０ｂを備えていないビルとにそれぞれ同一の大きさの上下方向の振動を加えた場合に、張出部２００ａ，２００ｂの先端個所に加わる加速度をそれぞれシミュレーションした。その結果を図７に示す。図７から判るとおり、制震装置６０ａ，６０ｂを適用したビルの張出部２００ａ，２００ｂの３階では最大３９２ｇａｌの加速度が加わり、４階では最大５０４ｇａｌの加速度が加わり、５階では最大５８１ｇａｌの加速度が加わった。一方、制震装置６０ａ，６０ｂを備えていないビルの張出部の３階では最大６８９ｇａｌの加速度が加わり、４階では最大６６７ｇａｌの加速度が加わり、５階では最大６７１ｇａｌの加速度が加わった。この結果からも、この発明による制震装置６０ａ，６０ｂの効果が判る。
【００６０】
加えて、この発明にかかるビルによれば、張出部２００ａが上記ブレース５０１，５０２，５０３，５０４，５１１，５１２，５１３，５１４，５２１，５２２，５２３，５２４を備えているため、張出部２００ａの強度を増大することができる。よって、本体部１００に配設するブレースを低減することができるため、本体部１００の内部空間を大きくすることができる。さらに、この発明にかかるビルによれば、張出部２００ｂが上記ブレース５５１，５５２，５５３，５５４，５６１，５６２，５６３，５６４，５７１，５７２，５７３，５７４を備えているため、張出部２００ｂの強度を増大することができる。よって、本体部１００に配設するブレースを低減することができるため、本体部１００の内部空間を大きくすることができる。
【００６１】
さらに、この発明にかかるビルは、張出部２００ａの両側に位置する側間柱４０１，４３１と、それらの側間柱４０１，４３１に対応する本柱１１，４１との間に剛体６０３，６０４を配設し、側間柱４０１，４３１の間に配設した間柱４１１，４２１の下端部と、それらの間柱４１１，４２１に対応する本柱２１，３１との間にダンパー７０３，７０４をそれぞれ介在させてある。また、張出部２００ｂの両側に位置する側間柱４０２，４３２と、それらの側間柱４０２，４３２に対応する本柱１５，４５との間に剛体６０１，６０２を配設し、側間柱４０２，４３２の間に配設した間柱４１２，４２２の下端部と、それらの間柱４１２，４２２に対応する本柱２５，３５との間にダンパー７０１，７０２をそれぞれ介在させてある。従って、地震等の外力がビルに作用した場合、張出部２００ａ，２００ｂの鉛直方向の振動をそれぞれ低減することができる。
【図面の簡単な説明】
【００６２】
【図１】本発明にかかる制震装置を適用したビルの躯体を示す斜視図である。
【図２】図１に示したビルの躯体の正面図である。
【図３】図１に示したビルの躯体の一部を示す斜視図である。
【図４】図１に示したビルの躯体の一部を示す斜視図である。
【図５】図１に示したビルの躯体の一部を示し、そのビルが備える剛体を示す側面図である。
【図６】図１に示したビルの躯体の一部を示し、そのビルが備えるダンパーを示す側面図である。
【図７】この発明にかかる制震装置を適用したビルの鉛直方向の振動と、制震装置を適用していないビルの鉛直方向の振動との関係を示す図表である。
【図８】従来のビルの躯体の一部を示す斜視図である。
【符号の説明】
【００６３】
１１  本柱
１５  本柱
４１  本柱
４５  本柱
６０ａ  制震装置
６０ｂ  制震装置
１００  本体部
２００ａ  張出部
２００ｂ  張出部
３３１    小梁
３３２    小梁
３４１    小梁
３４２    小梁
３５１    小梁
３５２    小梁
３６１    小梁
３６２    小梁
４０１    側間柱
４０２    側間柱
４１１    間柱
４２１    間柱
４１２    間柱
４２２    間柱
４２１    間柱
４２２    間柱
４３１    側間柱
４３２    側間柱
６０１    剛体
６０２    剛体
６０３    剛体
６０４    剛体
７０１    ダンパー
７０２    ダンパー
７０３    ダンパー
７０４    ダンパー
【図１】
2008063817.tif 000003
【図２】
2008063817.tif 000004
【図３】
2008063817.tif 000005
【図４】
2008063817.tif 000006
【図５】
2008063817.tif 000007
【図６】
2008063817.tif 000008
【図７】
2008063817.tif 000009
【図８】
2008063817.tif 000010